(57)【特許請求の範囲】
【請求項１】
尾部背面側が欠落するように形成された薄肉部を尾側に有する金属製のルアー本体と、
前記薄肉部に設けられ、前記ルアー本体の尾部を水中で下降させるウエイト部と、
を備え、
前記ルアー本体は、前記ルアー本体が尾側から頭部側に向かう進行方向に水中を進行し、前記尾部が前記進行方向に対して横方向の一方に振れた場合に水流が衝突する第１側面と、前記尾部が他方に振れた場合に水流が衝突する第２側面と、前記ウエイト部の重量によって前記尾部を下げた場合に水流が衝突する底面とを有する、
ルアー。
【請求項２】
前記ウエイト部は、前記薄肉部の上面に設けられている、
請求項１に記載のルアー。
【請求項３】
前記ウエイト部は、前記薄肉部の進行方向反対側端に設けられている、
請求項１又は２に記載のルアー。
【請求項４】
前記ウエイト部は、前記ルアーの進行方向に延び、縦方向に扁平な板状をなす、
請求項１乃至３の何れかに記載のルアー。
【請求項５】
前記薄肉部の上面は、扁平に形成されている、
請求項１乃至４の何れかに記載のルアー。
【請求項６】
前記薄肉部は、前記ルアー本体が背部から尾部へ向けて円弧状に湾曲して欠落するように構成されている、
請求項１乃至５の何れかに記載のルアー。
【請求項７】
前記ルアー本体は、進行方向に垂直な方向に切断したときの断面形状において、底面が半円状に湾曲するように構成されている、
請求項１乃至６の何れかに記載のルアー。
【請求項８】
前記ルアー本体は、底面が進行方向に直線的に延びるように構成されている、
請求項１乃至７の何れかに記載のルアー。
【請求項９】
前記ルアー本体は、背部にフックアイが設けられている、
請求項１乃至８の何れかに記載のルアー。
【請求項１０】
前記ルアー本体は、腹部にフックアイが設けられていない、
請求項９に記載のルアー。
【請求項１１】
前記フックアイは、前記薄肉部の進行方向側端に設けられている、
請求項９又は１０に記載のルアー。
【発明の詳細な説明】
【技術分野】
【０００１】
本発明は、魚釣りに用いられるルアーに関する。
【背景技術】
【０００２】
金属製のルアーには、メタルジグ、金属製のバイブレーションプラグ等がある（例えば、特許文献１）。これらの金属製のルアーは、プラスチック製、木製等の他のルアーに比べて重量が大きく、遠投性に優れる。このため、スズキ、ハマチ、シイラ等の海水魚をターゲットにした海でのルアー釣りにおいてよく使用される。
【先行技術文献】
【特許文献】
【０００３】
【特許文献１】特開２００１−１５７５３１号公報
【発明の概要】
【発明が解決しようとする課題】
【０００４】
魚を引きつけるためにはルアーに小魚のような自然な動きをさせることが重要である。しかしながら、メタルジグはその形状が単純な棒状であり、一定速度でリールを巻くステディーリトリーブでは動きに乏しかったり、単調な回転動作を繰り返したりする。他方、バイブレーションプラグは、ステディーリトリーブにより水中で小刻みに振動する。これらの金属製のルアーの動きは何れも単調で不自然なため、魚が警戒して興味を示さなくなることがある。
【０００５】
本発明は斯かる事情に鑑みてなされたものであり、その主たる目的は、遠投性に優れ、且つ、ステディーリトリーブでも小魚のような自然な動きをすることができるルアーを提供することにある。
【課題を解決するための手段】
【０００６】
上述した課題を解決するために、本発明の一の態様のルアーは、尾部背面側が欠落するように形成された薄肉部を尾側に有する金属製のルアー本体と、前記薄肉部に設けられ、前記ルアー本体の尾部を水中で下降させるウエイト部と、を備え、前記ルアー本体は、前記ルアー本体が尾側から頭部側に向かう進行方向に水中を進行し、前記尾部が前記進行方向に対して横方向の一方に振れた場合に水流が衝突する第１側面と、前記尾部が他方に振れた場合に水流が衝突する第２側面と、前記ウエイト部の重量によって前記尾部を下げた場合に水流が衝突する底面とを有する。
【０００７】
この態様において、前記ウエイト部は、前記薄肉部の上面に設けられていてもよい。
【０００８】
上記態様において、前記ウエイト部は、前記薄肉部の進行方向反対側端に設けられていてもよい。
【０００９】
上記態様において、前記ウエイト部は、前記ルアーの進行方向に延び、縦方向に扁平な板状をなしていてもよい。
【００１０】
上記態様において、前記薄肉部の上面は、扁平に形成されていてもよい。
【００１１】
上記態様において、前記薄肉部は、前記ルアー本体が背部から尾部へ向けて円弧状に湾曲して欠落するように構成されていてもよい。
【００１２】
上記態様において、前記ルアー本体は、進行方向に垂直な方向に切断したときの断面形状において、底面が半円状に湾曲するように構成されていてもよい。
【００１３】
上記態様において、前記ルアー本体は、底面が進行方向に直線的に延びるように構成されていてもよい。
【００１４】
上記態様において、前記ルアー本体は、背部にフックアイが設けられていてもよい。
【００１５】
上記態様において、前記ルアー本体は、腹部にフックアイが設けられていなくてもよい。
【００１６】
上記態様において、前記フックアイは、前記薄肉部の進行方向側端に設けられていてもよい。
【発明の効果】
【００１７】
本発明に係るルアーによれば、遠投性に優れ、且つ、ステディーリトリーブでも小魚のような自然な動きすることができる。
【図面の簡単な説明】
【００１８】
【図１】実施の形態に係るルアーの構成を示す斜視図。
【図２】実施の形態に係るルアーの構成を示す平面図。
【図３】実施の形態に係るルアーの構成を示す側面図。
【図４】実施の形態に係るルアーの動作を説明するための平面図。
【図５】実施の形態に係るルアーの動作を説明するための背面図。
【図６Ａ】他の実施の形態に係るルアーの構成を示す側面図。
【図６Ｂ】さらに他の実施の形態に係るルアーの構成を示す側面図。
【発明を実施するための形態】
【００１９】
以下、本発明の好ましい実施の形態を、図面を参照しながら説明する。
【００２０】
図１は、本実施の形態に係るルアーの構成を示す斜視図であり、図２は、その平面図であり、図３は、その側面図である。なお、図１中において、矢印により方向を示している。ルアー１の水中での進行方向を「前方」、進行方向とは逆方向を「後方」とする。また、ルアーの背側を「上側」、ルアーの腹側を「下側」とする。また、ルアーの進行方向に向かって右側を「右側」、左側を「左側」とする。
【００２１】
図１乃至３に示すように、ルアー１は、ルアー本体２と、フック３１，３２とを備える。
【００２２】
ルアー本体２は、小魚の体を模した形状をなしている。具体的には、ルアー本体２は、頭部が滑らかな半球状をなし、頭部から胴部に近づくにしたがって太くなっている。また、胴部から尾部にかけては、背部側が欠落しており、薄肉部２１となっている。ルアー本体２は、タングステン製であり、その比重は１９．３である。なお、ルアー本体２を鉛製、又は他の金属製としてもよい。
【００２３】
薄肉部２１についてさらに詳細に説明する。薄肉部２１は、ルアー本体２の前後方向中央よりも若干前側の位置から後端にかけて設けられる。薄肉部２１の前側部分は、ルアー本体２が背部から尾部へ向けて円弧状に湾曲して欠落するように構成されている。また、薄肉部２１の後側部分は、前後方向に実質的に直線状に延びており、円弧状に湾曲した前側部分と滑らかに繋がっている。また、薄肉部２１の上面は、左右方向に平らに形成されている。
【００２４】
ルアー本体２の底部は、正面視（前側から後側を見たとき）において下方に凸状の円弧面とされている。また、ルアー本体２の底部は、側面視において前後方向に直線状に形成されている。つまり、ルアー本体２の底部は、前後方向の全体に亘って上述した円弧面が続くように形成されている。このように構成することにより、左右方向の水流に対するルアー本体２の底部の抵抗が小さくなる。
【００２５】
薄肉部２１の後端部上面には、ウエイト部２２が設けられている。ウエイト部２２は、前後方向に延び、上下方向（縦方向）に扁平な板状をなしている。ウエイト部２２は、ルアー１が進行しているときに錘として機能する。また、ウエイト部２２は、横方向からの水流に対する抵抗としても機能する。
【００２６】
ルアー本体２の前端には、前方に突出するようにラインアイ２３が設けられている。ラインアイ２３は、ラインを連結するための金属製のリング状部材である。
【００２７】
ルアー本体２の背部には、フックアイ２４が設けられている。さらに詳細には、薄肉部２１の前端部分に、半円状に突出するようにフックアイ２４は設けられている。フックアイ２４は、フック（釣り針）を連結するための金属製の部材である。また、ルアー本体２の後端には、フックアイ２５が設けられている。また、ルアー本体２の腹側にはフックアイが設けられていない。
【００２８】
フック３１が、フックアイ２４に取り付けられており、フック３２が、フックアイ２５に取り付けられている。フック３１，３２のそれぞれは、一本の金属製の線状部材がＪ字状に湾曲されて形成されたシングルフックである。フック３１，３２のそれぞれは、アラミド繊維等からなる編み込み糸の接続紐３１ａ，３２ａが基端部に接続されている。フックアイ２４には、スプリットリング４１が取り付けられており、スプリットリング４１に接続紐３１ａの端部が接続されている。同様に、フックアイ２５には、スプリットリング４２が取り付けられており、スプリットリング４２に接続紐３２ａの端部が接続されている。また、かかるルアー１においては、腹側にフックアイが設けられておらず、フックが取り付けられない。
【００２９】
本実施の形態に係るルアー１の動作について説明する。図４は、ルアー１の動作を説明するための平面図であり、図５は、その背面図である。
【００３０】
ルアー１の前端のラインアイ２３においてラインが接続されているため、ラインによってルアー１が水中で前方へ引っ張られると、ルアー１が頭部（前側部分）を上げるように傾いた状態で進行方向（前方）へ進行する。ここで、薄肉部２１が設けられているルアー本体２の尾側部分では背側部分が欠落しているためルアー１の全体において重心位置は腹側にある。したがって、ルアー１は、水中を進行している間、腹側が下になるような姿勢を維持しようとする。つまり、ルアー１は、頭部を上げ、尾部を下げるように傾き、腹側を下に向けた姿勢を取る。
【００３１】
上記の姿勢でルアー１が水中を進行すると、水流がルアー１の底部に衝突し、これによってルアー１に横方向（右方又は左方）への力が作用する。ルアー１の頭部はラインによって引っ張られているため、頭部は横方向に移動せず、尾部（後側部分）が横方向（右方又は左方）に移動する。つまり、頭部を中心として尾部が平面視において円弧状に横方向へ振れる（図４参照）。
【００３２】
また、水流がルアー１の底部に衝突することで、尾部が上昇するような力が作用する。この結果、上記の尾部の横方向の移動と上昇とが組み合わされ、背面視において尾部が円弧状の軌跡を描くように移動する（図５参照）。
【００３３】
ルアー１の尾部が右方へ振れた場合、ルアー１が進行していることからルアー１の右側面に前方からの水流が衝突する。このため、ルアー１はある程度の角度まで右方に傾斜すると、尾部の移動方向が反転し、尾部が左方に振れる。また、ルアー１の尾部が上昇すると、ルアー１が水平姿勢に近くなり、ルアー１の底部における水流の衝突が軽減される。これに加えて、ルアー本体２の尾部にはウエイト部２２が設けられているため、このウエイト部２２の重さによってルアー本体２の尾部には下向きの力が作用する。ルアー本体２の尾部側に薄肉部２１が設けられていることから、ルアー本体２の重心は頭部側にある。また、ウエイト部２２が薄肉部２１の後端部に設けられているため、ウエイト部２２は重心位置から離れており、ウエイト部２２には大きな力のモーメントが作用する。この結果、ルアー１の尾部が上昇しなくなり、下降を始める。尾部の横方向の移動と下降とが組み合わされ、背面視において尾部が円弧状の軌跡を反転するように移動する。
【００３４】
ルアー１の尾部が元の位置（頭部の進行方向下流側の位置）に復帰すると、ルアー１は、頭部を上げ、尾部を下げるように傾き、腹側を下に向けた姿勢を取っている。このとき、ルアー１の尾部には左方に移動する慣性力が作用しているため、尾部はそのまま左方に移動する。また、ルアー１の底部に衝突する水流が増し、尾部が再度上昇をし始める。この結果、ルアー１の尾部の左方への移動と上昇とが組み合わされ、背面視において尾部が左上方向に円弧状の軌跡を描くように移動する。
【００３５】
上記のような動作が繰り返されることで、ルアー１は背面視において尾部が円弧状の軌跡を描くように往復運動を繰り返し行う（ウォブリング）。
【００３６】
上記のような動作において、尾部が横方向（例えば、右方）に移動すると、相対的に反対方向（左方向）の水流が尾部に衝突する。薄肉部２１は横長の薄い板状であるため横方向の水流に対して抵抗が少ない。その一方で、ウエイト部２２は縦方向に長い板状であるため水流に対する抵抗が大きい。この抵抗差によって、ルアー１は前後方向に延びる回転軸を中心として回転（ローリング）する。つまり、尾部が右方向に移動したとき、底部が右を向くようにルアー１がローリングし、尾部が左方向に移動したとき、底部が左を向くようにルアー１がローリングする。
【００３７】
また、上述のようにルアー本体２の背部にはフック３１が取り付けられている。ルアー１がローリングを行うと、フック３１に水流が衝突するため、フック３１は水流に対する抵抗となる。その一方、ルアー本体２の底部は、正面視において下方に凸状の滑らかな円弧面であるため、ローリングの際に底部に沿って水が流れる。また、ルアー本体２の底部（腹側）にはフックが取り付けられておらず、底部に沿った水の流れがフックによって阻害されることがない。つまり、フック３１が設けられた背部の方が、滑らかな面で構成され、且つフックが設けられていない腹部よりも水流に対する抵抗が大きい。したがって、上記のローリングの動作が促進される。
【００３８】
上記のようなウォブリングとローリングとは同期して行われる（ウォブンロール）。
【００３９】
なお、上記のようなローリングの際、フック３１が水流に対する抵抗となるため、できるだけ同じ位置、即ちローリング運動の中心に近い位置にあることが好ましい。したがって、フックアイ２４は、頭部（ルアー本体２の薄肉部２１よりも前側の部分）又は薄肉部２１の前端近傍に設けられていることが好ましい。
【００４０】
以上のように、本実施の形態に係るルアー１では、金属製であるため遠投性に優れ、且つ、ステディーリトリーブでも小魚の動きに似たウォブンロールの動作を行うため、自然な動きをすることができる。
【００４１】
（その他の実施の形態）
上記の実施の形態においては、ルアー本体２の尾部に薄肉部２１を設け、この薄肉部２１に扁平な板状のウエイト部２２を設ける構成について述べたが、これに限定されるものではない。ウエイト部２２は、直方体、半球など、どのような形状であってもよい。ただし、ルアー１のローリングを促進するためにはウエイト部の側部で効率よく水流を受けることが可能な形状とすることが有利であり、この観点からはウエイト部の側部を扁平な面とすることが好ましい。
【００４２】
また、上記の実施の形態においては、薄肉部２１の上面にウエイト部２２を設ける構成について述べたが、これに限定されるものではない。板状のウエイト部を、薄肉部２１の前後方向全体に亘って設ける構成としてもよい。ただし、ウエイト部における力のモーメントを大きくする観点から、ウエイト部を薄肉部２１の後端に設けることが好ましい。
【００４３】
また、例えば、薄肉部２１の底面等、上面以外の位置にウエイト部を設けてもよい。ただし、ウエイト部２２が底面に設けられた場合、ルアー本体２の底部に沿った水の流れがウエイト部２２によって妨げられ、ローリング動作が阻害される。このため、ウエイト部２２は薄肉部２１の上面に設けることが好ましい。
【００４４】
また、上記の実施の形態においては、薄肉部２１が左右方向に扁平な上面を有する構成について述べたが、これに限定されるものではない。例えば、薄肉部を前後方向に垂直な面によって切断したときの断面において上方に凸状の円弧となるように、薄肉部の上面を円弧面としてもよい。また、同断面において、下方に凹状の円弧となるように、薄肉部の上面を窪んだ円弧面としてもよいし、それ以外の形状としてもよい。
【００４５】
また、上記の実施の形態においては、ルアー本体２が背部から尾部へ向けて円弧状に湾曲して欠落し、薄肉部２１が形成される構成について述べたが、これに限定されるものではない。例えば、ルアー本体２の背部から尾部へ直線的に傾斜して欠落するようにしてもよいし（図６Ａ参照）、ルアー本体２の背部後側が、側面視において直角に屈曲するように欠落するようにしてもよい（図６Ｂ参照）。
【００４６】
また、上記の実施の形態においては、ルアー本体２の前後方向中央よりも若干前側の位置から後端にかけて薄肉部２１が設けられる構成について述べたが、これに限定されるものではない。ルアー本体２の全体に対する薄肉部２１の大きさは、ウォブリングの大きさに影響を与える。例えば、ルアー本体２の全体に対する薄肉部２１が大きさの比率が高ければ、薄肉部２１の重量が小さいのでウォブリングの動作が大きくなる。反対にルアー本体２の全体に対する薄肉部２１が大きさの比率が低ければ、ウォブリングの動作が小さくなる。したがって、所望のウォブリングの大きさが得られるように、薄肉部２１の大きさを設定すればよい。
【００４７】
また、上記の実施の形態においては、ルアー本体２の底面が、進行方向に垂直な方向に切断したときの断面形状において、下方に半円状に突出した円弧面である構成について述べたが、これに限定されるものではない。例えば、ルアー本体２の底面を上下方向に垂直な平面としてもよい。
【産業上の利用可能性】
【００４８】
本発明のルアーは、魚釣り用のルアーとして有用である。
【符号の説明】
【００４９】
１  ルアー
２  ルアー本体
２１  薄肉部
２２  ウエイト部
２３  ラインアイ
２４，２５  フックアイ
３１，３２  フック
３１ａ，３２ａ  接続紐
４１，４２  スプリットリング
【要約】
【課題】遠投性に優れ、且つ、ステディーリトリーブでも小魚のような自然な動きをすることができるルアーを提供する。
【解決手段】
ルアー１は金属製のルアー本体２を有する。ルアー本体２は、尾部背面側が欠落するように形成され、これによってルアー本体２の尾部には薄肉部２１が設けられる。薄肉部２１の上面には、前後方向に扁平な板状のウエイト部２２が設けられる。ルアー本体２の頭部先端にはラインアイ２３が、薄肉部２１の前端にはフックアイ２４が、ルアー本体２の後端にはフックアイ２５が、それぞれ設けられる。フックアイ２４，２５には、スプリットリング４１，４２及び接続紐３１ａ，３２ａを介してシングルフックであるフック３１，３２がそれぞれ連結される。
【選択図】図１【図１】
0006047788.tif 000002
【図２】
0006047788.tif 000003
【図３】
0006047788.tif 000004
【図４】
0006047788.tif 000005
【図５】
0006047788.tif 000006
【図６Ａ】
0006047788.tif 000007
【図６Ｂ】
0006047788.tif 000008